(57)【要約】    【課題】  扉を設置する場合に、扉体のデザインを多様にし、使用者のデザインの選択肢を多くし、又、扉体に傷が付いた場合、扉の模様替えを行いたい場合等、扉体を交換することなく、簡単な作業で而も少ない費用で傷の改修、模様替えが可能となる扉を提供可能とする。    【解決手段】  扉体表面にスペーサ１５を介して化粧パネル５を設けた。    【選択図】          図１
2007009518.tif 000002
【特許請求の範囲】
【請求項１】
扉体表面にスペーサを介して化粧パネルを設けたことを特徴とする扉。
【請求項２】
前記化粧パネルは、扉体表面を所要分割し、それぞれの分割部分に対応して設けられた請求項１の扉。
【請求項３】
前記化粧パネルは、扉体に対して着脱可能である請求項１又は請求項２の扉。
【請求項４】
前記化粧パネルは扉体に対して着脱可能であり、形状の異なる化粧パネルに対しても前記スペーサの取付け位置を共用とした請求項２の扉。
【請求項５】
前記化粧パネルの少なくとも１つは、取手、鍵部分と干渉しない形状となっている請求項２の扉。
【発明の詳細な説明】
【技術分野】
【０００１】
本発明は玄関等の出入口に設けられる扉、特に外観を容易に変更可能とした扉に関するものである。
【背景技術】
【０００２】
住宅等建築物の玄関等の出入口に設けられる扉は、住宅等建築物の印象を決定する大きなファクタとなっており、各種デザインが施された扉が設けられている。
【０００３】
従来、扉本体（以下扉体）の材質としては、木製、鋼板製等種々あるが、いずれもデザインは扉体に直接施されており、扉の使用者は予め扉の提供者が用意した幾つかのデザイン内から選択する様になっており、選択範囲が限られていた。又、扉体に傷が付いた場合、デザインが扉体本体に施されているので補修できない場合が多く、扉体を交換することで対応している。この為、使用者にとっては手間及び費用の負担が掛っていた。
【０００４】
更に、使用者が扉の模様替えを行いたいとした場合、やはり扉体を交換することになり、使用者の負担が大きかった。
【発明の開示】
【発明が解決しようとする課題】
【０００５】
本発明は斯かる実情に鑑み、扉を設置する場合に、扉体のデザインを多様にし、使用者のデザインの選択肢を多くし、又、扉体に傷が付いた場合、扉の模様替えを行いたい場合等、扉体を交換することなく、簡単な作業で而も少ない費用で傷の改修、模様替えが可能となる扉を提供可能とするものである。
【課題を解決するための手段】
【０００６】
本発明は、扉体表面にスペーサを介して化粧パネルを設けた扉に係り、又前記化粧パネルは、扉体表面を所要分割し、それぞれの分割部分に対応して設けられた扉に係り、又前記化粧パネルは、扉体に対して着脱可能である扉に係り、又前記化粧パネルは扉体に対して着脱可能であり、形状の異なる化粧パネルに対しても前記スペーサの取付け位置を共用とした扉に係り、更に又前記化粧パネルの少なくとも１つは、取手、鍵部分と干渉しない形状となっている扉に係るものである。
【発明の効果】
【０００７】
本発明によれば、扉体表面にスペーサを介して化粧パネルを設けたので、扉体を共通とし前記化粧パネルを変化させることで多様なデザインの扉体が製作可能である。
【０００８】
又本発明によれば、前記化粧パネルは、扉体表面を所要分割し、それぞれの分割部分に対応して設けられたので、同一の扉体でも分割の態様を変化させることで多様なデザインの扉体を製作可能である。
【０００９】
又本発明によれば、前記化粧パネルは、扉体に対して着脱可能であるので、前記化粧パネルの交換が容易で、補修、改修が容易となる。
【００１０】
又本発明によれば、前記化粧パネルは扉体に対して着脱可能であり、形状の異なる化粧パネルに対しても前記スペーサの取付け位置を共用としたので、扉体のデザインの変更が容易となる。
【００１１】
又本発明によれば、前記化粧パネルの少なくとも１つは、取手、鍵部分と干渉しない形状となっているので、従来構造の扉体にも実施可能である等の優れた効果を発揮する。
【発明を実施するための最良の形態】
【００１２】
以下、図面を参照しつつ本発明を実施する為の最良の形態を説明する。
【００１３】
図１〜図５は第１の実施の形態を示し、該第１の実施の形態は本発明が鋼板製の扉に実施された場合を示している。
【００１４】
図１中、１は出入口を示し、該出入口１を開閉する様に扉２が蝶番３を介して開閉自在に設けられている。
【００１５】
前記扉２は主に、扉体４及び該扉体４の表面に取付けられる化粧パネル５から構成される。
【００１６】
前記扉体４には所要数（図示では８個）の採光用の丸窓６が設けられており、該丸窓６には後述する様にガラス板等透明の窓板７，７が２重に嵌込まれている。該窓板７，７の間には芯材１０が介設され、前記窓板７，７間には空間１７が形成される。
【００１７】
前記扉体４の表面は所要分割（図示では分割した部分が取手部分、鍵部分を含む分割部分を除き同一形状となる様に左右２列、上下４段の計８分割）され、各分割部分に矩形形状の前記化粧パネル５が取付けられる。該化粧パネル５は、透明、或は半透明な合成樹脂板、例えばポリカーボネイト板が用いられる。取手部分を含む分割部分に取付けられる化粧パネル５ａは、取手８が干渉しない様に取手部分を避けた形状となっている。図示では、前記取手８が上下方向に延びる棒形状であるので、他の化粧パネル５より細長くなっている。
【００１８】
尚、前記化粧パネル５ａの形状は、取手の形状によって適宜変更されることは言う迄もない。更に又、前記化粧パネル５ａの形状は使用の態様によって種々変更が可能である。例えば、前記化粧パネル５ａは取手、錠前、ドアスコープ、郵便受け、表札等もそれぞれ避けた形状となっていることが好ましい。又、前記化粧パネル５ａは取手、錠前、ドアスコープ、郵便受け、表札等のそれぞれ全体を避ける様にしても部分的に避ける様にしてもよい。又、使用に差し支えなければ（例えばドアスコープの部分に透明パネルを設ける場合等）、全く避けない様にしてもよい。又、避けた形状とは、切欠いて避ける様にした形状、孔を設けて避ける様にした形状、全体の輪郭を変えて避ける様にした形状等、どの様な形状でもよい。更に、取手、錠前、ドアスコープ、郵便受け、表札等の方を、ドアに取付けられる前記化粧パネル５を避ける様に設けてもよい。分割の態様は種々変更が可能であり、非等分割、或は曲線で分割してもよい。更に、分割しなくてもよい。
【００１９】
又、前記化粧パネル５は、透明、半透明、不透明な合成樹脂板、ガラス、金属板等であってもよく、或は表面に模様を印刷、又は刻設した合成樹脂板、金属板等であってもよい。更に、パンチングパネルの様に、孔を模様とした合成樹脂板、ガラス、金属板等であってもよい。
【００２０】
前記扉体４は枠材９及び力骨１１、該枠材９及び力骨１１の表面、裏面にそれぞれ張設された表面材１２、裏面材１３から構成され、前記表面材１２、前記裏面材１３には表裏を貫通する様に前記丸窓６が形成され、該丸窓６の縁にはビード１４，１４が嵌込まれ、該ビード１４，１４間に前記窓板７，７が挾持される様に保持されている。
【００２１】
前記表面材１２側から前記力骨１１にスペーサ１５が植設される。該スペーサ１５は、ボルト部１５ａとナット部１５ｂとを有し、前記ボルト部１５ａが前記力骨１１に螺合し、前記ナット部１５ｂには後述するボルト１６が螺合する様になっている。前記スペーサ１５は前記分割部分の４隅に植設され、各分割部分に前記化粧パネル５、化粧パネル５ａが前記ボルト１６により前記スペーサ１５に取付けられる様になっている。
【００２２】
尚、該スペーサ１５を単に中空のパイプ状とし、前記ボルト１６により前記化粧パネル５、スペーサ１５を共締する様にしてもよい。或は、パイプ状のスペーサ１５を前記化粧パネル５の裏面に、接着カシメ等、所要の手段で固着してもよい。
【００２３】
前記化粧パネル５を取付けることで、前記扉２は前記化粧パネル５によって主たる印象が形成され、又前記化粧パネル５が前記スペーサ１５により前記扉体４表面より浮上がっているので、奥行感、立体感が生じ、又前記化粧パネル５が浮上がっていることから、陰影を生じ、又合成樹脂等鏡面を有する材料を使用することで、前記化粧パネル５による光の反射で印象に変化が生じる。
【００２４】
本実施の形態では、前記スペーサ１５を介して前記化粧パネル５を取付ける様になっているので、該化粧パネル５の材質、該化粧パネル５表面に施された模様等の変更が容易に可能となり、使用者が前記扉２を選択する場合のデザイン上の選択肢が増え、又前記化粧パネル５が損傷した場合でも、該化粧パネル５を交換するだけで修復が可能となる。更に、前記扉２の模様替えを行いたい場合は、異なるデザインの化粧パネル５に変更するだけでよく、該化粧パネル５の交換作業も前記扉体４等を外す必要がなく、作業は容易に実施される。又、前記化粧パネル５が簡単に着脱できるので、メンテナンス、例えば化粧パネル５裏面の清掃等を容易に行える。
【００２５】
更に、前記スペーサ１５による取付け位置を共通にしておけば、前記化粧パネル５の形状が変った場合も、前記スペーサ１５の位置を変更する必要がなく、該スペーサ１５、前記ボルト１６の着脱のみで前記化粧パネル５の交換が可能であり、前記扉体４の取外し等面倒な作業は必要ない。
【００２６】
図６は化粧パネル５の形状が変った場合の第２の実施の形態を示している。
【００２７】
図６中、図１中で示したものと同等のものには同符号を付し、その説明を省略する。
【００２８】
第２の実施の形態では、前記化粧パネル５を扉体４の表面を４分割した場合であり、図示される様に、第１の実施の形態に於けるスペーサ１５取付け位置と第２の実施の形態に於けるスペーサ１５取付け位置とは共通となっている。
【００２９】
図７、図８は第３の実施の形態を示しており、図７、図８中、図１中で示したものと同等のものには同符号を付し、その説明を省略する。
【００３０】
第３の実施の形態では、扉体４の中央に上下方向に延びる細長の長円形採光窓１９を設けた場合を示している。該長円形採光窓１９には透明、或は半透明の窓板７が嵌込まれており、該窓板７の取付け構造は、図５で示した場合と同様であるので説明を省略する。
【００３１】
又、第３の実施の形態では、前記長円形採光窓１９を化粧パネル５、化粧パネル５ａにより覆うことなく、前記長円形採光窓１９が露出する様に、該長円形採光窓１９に隣接する部分を欠切している。従って、第３の実施の形態では、前記化粧パネル５，５ａによるデザインと、前記扉体４に上下に延びるスリット状の採光窓が形成された外観となっている。
【００３２】
図９は第４の実施の形態を示しており、第１の実施の形態の扉２に対して、子扉２１が設けられたものである。尚、図９中、図１中で示したものと同等のものには同符号を付し、その説明を省略する。
【００３３】
該子扉２１は、扉体４と対称的に設けられた蝶番２２により回転自在に設けられ、図示しない固定手段（例えばフランス落し）によって固定され、通常は前記扉体４のみが開閉可能となっている。
【００３４】
前記子扉２１は前記扉体４とデザイン上の統一を図る為に、上下方向で同一となる様に丸窓２３が設けられ、又前記扉体４と同等に上下方向に分割され、分割部分には化粧パネル５と同材質の化粧パネル２４が設けられている。該化粧パネル２４はスペーサ１５を介在した状態でボルト１６で取付けられる構造であり、図５で示した化粧パネル５の取付け構造と同等となっている。又、化粧パネル５と化粧パネル２４は、扉体４や子扉２１の大きさによっては、同じものを用いてもよい。
【００３５】
前記子扉２１で前記化粧パネル２４が傷付く等した場合も、一部の前記化粧パネル２４を交換するだけでよく、修復が簡単で容易である。又、前記扉体４の模様替えを行う場合も、前記化粧パネル５の交換に合わせて前記化粧パネル２４を交換するだけでよい。
【００３６】
図１０は第５の実施の形態を示すものであり、図６で示した第２の実施の形態の扉２に対して子扉２１を設けたものである。図１０中、図１、図６中で示したものと同等のものには同符号を付しその説明を省略する。
【００３７】
図１１は第６の実施の形態を示すものであり、図７で示した第３の実施の形態の扉２に対して子扉２１を設けたものである。図１１中、図１、図７中で示したものと同等のものには同符号を付しその説明を省略する。
【００３８】
図１２〜図１４は第７の実施の形態を示すものであり、蝶番部分のシール性、意匠性を向上させたものである。図１２中、図１中で示したものと同等のものには同符号を付してある。
【００３９】
図１２に示される様に、蝶番３部分（図１参照）には該蝶番３を覆う蝶番カバーユニット２６が設けられる。該蝶番カバーユニット２６を図１３、図１４により説明する。
【００４０】
図１３、図１４中、２５は建物の躯体、２７は出入口１の側縁に設けられた縦枠２７を示し、該縦枠２７には段差部２７ａが形成され、該段差部２７ａに扉体４の吊り元端部が収まる様になっており、又前記段差部２７ａの段差面には前記扉体４の閉状態で該扉体４に密着するシール部材２８が設けられている。
【００４１】
前記蝶番カバーユニット２６は蝶番カバー２９、ドア枠カバー３１から構成されている。
【００４２】
前記扉体４の吊り元端面に前記蝶番カバー２９が螺子等所要の固着手段で取付けられる。該蝶番カバー２９は前記蝶番３と干渉しない様に、該蝶番３部分は切欠かれている。前記蝶番カバー２９は前記蝶番３の回転中心と同心に形成された凸円筒部３２を有し、該凸円筒部３２が前記蝶番３を覆っている。前記縦枠２７にはカバー取付け部材３３が固着され、該カバー取付け部材３３は凹溝を形成する一対の立片３４を有し、該立片３４の先端には内側に突出するＶノッチ状の係合部３５が形成されている。
【００４３】
前記ドア枠カバー３１は前記縦枠２７に形成された嵌合溝３６に嵌合する嵌合部３７を有し、又前記立片３４が形成する溝に嵌入する一対の立片３８を有し、該立片３８の先端部は、前記係合部３５に係合する様矢尻状となっている。
【００４４】
又、前記ドア枠カバー３１には前記蝶番３に対向する凹円筒面部３９が形成されており、該凹円筒面部３９は前記蝶番３の回転中心と同心の円筒面となっており、更に前記凸円筒部３２と接触しない様な大径となっている。
【００４５】
前記凹円筒面部３９の前記扉体４側端と前記凸円筒部３２の前記ドア枠カバー３１側端とは、前記扉体４が閉状態（図１３参照）で略一致する様になっており、前記蝶番３が前記蝶番カバー２９、前記ドア枠カバー３１により完全に隠れる様になっている。
【００４６】
前記扉体４を開くと、前記蝶番カバー２９が一体に回転し、前記凸円筒部３２は前記凹円筒面部３９と非接触を保って重合する（図１４参照）。
【００４７】
而して、前記扉体４が開き、該扉体４と前記縦枠２７間に隙間が生じても該隙間は前記蝶番カバー２９、前記ドア枠カバー３１によって目隠しされる。而して、前記蝶番３は前記蝶番カバー２９、前記ドア枠カバー３１によって常時覆われ、シール性が向上すると共に意匠性が向上する。又、目隠しされることで、指詰め等の危険性がなくなる。
【００４８】
上記実施の形態では、扉体４が鋼板製のものについて説明したが、木製の扉体４についても同様に実施可能であることは言う迄もない。
【００４９】
更に本発明は上記実施の形態に拘らず、種々変更が可能である。例えば、スペーサは全て同じ高さでなくてもよく、各化粧パネルそれぞれの扉体からの距離が異なる様にしてもよい。又、化粧パネルは扉体表面と平行に設けられていなくてもよく、化粧パネルは平面状でも略平面状でもよく、曲面状でもよい。又化粧パネルを複数設けた場合は、全て同じ質感（材質、色等）でも一部又は全て異なる質感（材質、色等）でもよい。又化粧パネルは、扉体の表面、裏面どちらか片面に設けてもよいし、両面に設けてもよい。又、扉体の両面に化粧パネルを取付け可能にしておきつつ片面のみに化粧パネルを設ける様にしてもよい。更に、化粧パネルを取付ける扉体の面に何らかの化粧が施されていてもよい。
【図面の簡単な説明】
【００５０】
【図１】本発明の第１の実施の形態を示す斜視図である。
【図２】同前第１の実施の形態を示す正面図である。
【図３】同前第１の実施の形態を示す背面図である。
【図４】同前第１の実施の形態を示す側面図である。
【図５】図２のＡ−Ａ矢視図である。
【図６】本発明の第２の実施の形態を示す斜視図である。
【図７】本発明の第３の実施の形態を示す斜視図である。
【図８】図７のＢ−Ｂ矢視図である。
【図９】本発明の第４の実施の形態を示す正面図である。
【図１０】本発明の第５の実施の形態を示す正面図である。
【図１１】本発明の第６の実施の形態を示す正面図である。
【図１２】本発明の第７の実施の形態を示す斜視図である。
【図１３】図１２のＣ矢視図である。
【図１４】扉体が開いた状態を示す図１２のＣ矢視図である。
【符号の説明】
【００５１】
１              出入口
２              扉
３              蝶番
４              扉体
５              化粧パネル
８              取手
１１            力骨
１２            表面材
１５            スペーサ
１６            ボルト
【図１】
2007009518.tif 000003
【図２】
2007009518.tif 000004
【図３】
2007009518.tif 000005
【図４】
2007009518.tif 000006
【図５】
2007009518.tif 000007
【図６】
2007009518.tif 000008
【図７】
2007009518.tif 000009
【図８】
2007009518.tif 000010
【図９】
2007009518.tif 000011
【図１０】
2007009518.tif 000012
【図１１】
2007009518.tif 000013
【図１２】
2007009518.tif 000014
【図１３】
2007009518.tif 000015
【図１４】
2007009518.tif 000016